(57)【特許請求の範囲】
【請求項１】
立設した一対の支柱間に外面側からアクセス可能な溝部を有するレール部材を架設し、該レール部材の上下に矩形状のパネル材を取り付けた間仕切パネル装置であって、
少なくとも上下いずれか一方の前記パネル材の端部と、前記レール部材における前記パネル材の端部と対向する対向部と、には、それぞれ対応する位置に前記溝部に対し上下方向に連通する貫通孔が少なくとも１つずつ形成されており、両方の前記貫通孔には、規制部材が挿入されて配置されていることを特徴とする間仕切パネル装置。
【請求項２】
前記規制部材が、前記貫通孔の内寸よりも小さい挿入部と、前記内寸よりも大きい頭部と、を有することを特徴とする請求項１に記載の間仕切パネル装置。
【請求項３】
前記規制部材が、前記レール部材に対してネジ止めされることを特徴とする請求項１または２に記載の間仕切パネル装置。
【請求項４】
前記規制部材における上下方向の寸法は、前記溝部の上下寸法よりも短くなっていることを特徴とする請求項１ないし３のいずれかに記載の間仕切パネル装置。
【請求項５】
前記レール部材には、前記溝部の一部を覆うカバー部材が着脱可能に係止されるようになっており、前記カバー部材は、前記レール部材に係止された状態において、前記規制部材の両側方に配置される突片を備えていることを特徴とする請求項１ないし４のいずれかに記載の間仕切パネル装置。
【発明の詳細な説明】
【技術分野】
【０００１】
本発明は、建物内の部屋や空間を仕切り、複数の区画を形成できる間仕切パネル装置に関する。
【背景技術】
【０００２】
建物内の部屋や空間に複数の執務区画を設ける場合、部屋の床面にパーティションを立設させて複数連設することにより、建物内の部屋や空間を仕切り、複数の区画に分割している。その一例として、特許文献１に示されるように、立設した一対の支柱間に横方向に延びる複数の連結部材（レール部材）を架設し、該連結部材の上下にパネル材を係止させ着脱可能に取り付ける間仕切パネル装置が開発されている。
【０００３】
特許文献１に示される間仕切パネル装置は、連結部材に外面側に開口する溝部を長手方向に沿って設け、この溝部にブラケットを介してモニター装置や棚等の各種機能部材を取り付け可能としている。また、間仕切パネル装置は、上下のパネル材の両端部に上下に沿って複数の係止金具が設けられており、該上下複数の係止金具を支柱に設けられた複数の係止孔に係止させることにより複数のパネル材を支柱に取付けている。このパネル材の係止金具は、フック状に形成されており、パネル材に対し下方側から上方側に向けて外力がかかると、係止金具が係止孔から外れてしまう虞があるため、上下のパネル材の両端部に支柱に沿うように延びる押さえ片をそれぞれ設けるとともに、両押さえ片を支柱の前面に並べて配置し押さえ部材と支柱とにより挟み込んだ状態で、押さえ部材を支柱にネジ固定することで、パネル材の係止金具が係止孔から外れることを防止している。
【０００４】
また、このような間仕切パネル装置は、近年、既存の病院やクリニックにおいて病室や治療ゾーンを複数の区画に仕切る際等への利用が広がっており、この場合には、内部に医療ガス配管や電気配線等を通し、パネル材に医療ガス配管や電気配線と接続されたアウトレットを設け、そのアウトレットに区画内からアクセスできるようにすることがある。
【先行技術文献】
【特許文献】
【０００５】
【特許文献１】特開２０１４−９１９８５号公報（第７頁、第４図）
【発明の概要】
【発明が解決しようとする課題】
【０００６】
特許文献１の間仕切パネル装置にあっては、パネル材が係止金具により両側の支柱に取付けられるとともに、両側の支柱に押さえ片が固定される構成であるため、パネル材を持ち上げるような外力に対しては、係止金具が係止孔から外れることを防止できる。一方、パネル材の中央に設けられたアウトレットを用いて作業する際には、パネル材の厚み方向に外力が働くことがあるが、係止金具及び押さえ片はパネル材の両端にのみ設けられているため、パネル材が凹んだり撓んだりする虞があり、該外力に対する強度を高めるためには、パネル材に補強を施す必要があった。
【０００７】
本発明は、このような問題点に着目してなされたもので、パネル材の厚み方向にかかる外力に対する強度が高い間仕切パネル装置を提供することを目的とする。
【課題を解決するための手段】
【０００８】
前記課題を解決するために、本発明の間仕切パネル装置は、
立設した一対の支柱間に外面側からアクセス可能な溝部を有するレール部材を架設し、該レール部材の上下に矩形状のパネル材を取り付けた間仕切パネル装置であって、
少なくとも上下いずれか一方の前記パネル材の端部と、前記レール部材における前記パネル材の端部と対向する対向部と、には、それぞれ対応する位置に前記溝部に対し上下方向に連通する貫通孔が少なくとも１つずつ形成されており、両方の前記貫通孔には、規制部材が挿入されて配置されていることを特徴としている。
この特徴によれば、パネル材をレール部材の上下に取り付けた後、外面側から溝部内に規制部材を配置し該規制部材を上下方向から両貫通孔に挿入することにより、パネル材とレール部材とが規制部材を介して連結される構成であるため、パネル材に特段の補強を施すことなく、レール部材の剛性を利用してパネル材の厚み方向にかかる外力に対する強度を高めることができる。
【０００９】
前記規制部材が、前記貫通孔の内寸よりも小さい挿入部と、前記内寸よりも大きい頭部と、を有することを特徴としている。
この特徴によれば、貫通孔の上方から挿入部を挿入することにより、貫通孔の近傍に規制部材の頭部が係止されるため、パネル材とレール部材との連結作業が簡便である。
【００１０】
前記規制部材が、前記レール部材に対してネジ止めされることを特徴としている。
この特徴によれば、振動などにより規制部材が貫通孔から離脱することが防止される。
【００１１】
前記規制部材における上下方向の寸法は、前記溝部の上下寸法よりも短くなっていることを特徴としている。
この特徴によれば、規制部材を溝部内で回転させることができるため、規制部材の挿入作業がしやすい。
【００１２】
前記レール部材には、前記溝部の一部を覆うカバー部材が着脱可能に係止されるようになっており、前記カバー部材は、前記レール部材に係止された状態において、前記規制部材の両側方に配置される突片を備えていることを特徴としている。
この特徴によれば、カバー部材をレール部材に取付けることにより、規制部材が外側から露見しなくなり美観が向上するとともに、突片により規制部材の横ズレが抑制され貫通孔に規制部材が適正に挿入された状態を保持できる。
【図面の簡単な説明】
【００１３】
【図１】実施例における間仕切パネル装置を用いて区画を形成した状態を示す斜視図である。
【図２】間仕切パネル装置の構造を示す分解斜視図である。
【図３】中部連結部材周辺を示す側断面図である。
【図４】パネル規制部の構造を示す分傾斜視図である。
【図５】パネル材の取り付け手順を示す図である。
【図６】（ａ）は、規制部材をレール部内に配置した状態を示す正面図であり、（ｂ）は、レール部及びパネル材の貫通孔に規制部材を挿入した状態を示す正面図である。
【図７】（ａ）は、カバー部材を示す正面図であり、（ｂ）は、（ａ）のＡ方向視図であり、（ｃ）は、（ｂ）のＢ−Ｂ断面図である。
【図８】カバー部材がレール部に装着された状態を示す正面図である。
【発明を実施するための形態】
【００１４】
本発明に係る間仕切パネル装置を実施するための形態を実施例に基づいて以下に説明する。
【実施例】
【００１５】
実施例に係る間仕切パネル装置につき、図１から図８を参照して説明する。以下、図３の画面左側を間仕切パネル装置の正面側（前方側）とし、画面右側を間仕切パネル装置の背面側（後方側）として説明する。また、図３を正面側から見て左右を間仕切パネル装置の左右（連結杆の長手方向）として説明する。
【００１６】
図１に示されるように、本実施例における間仕切パネル装置１，１’は、建物内の部屋や空間を仕切り、複数の機能性に富んだ独立性の高い執務区画を設けるためのものであり、複数の間仕切パネル装置１，１’，…を、所定の方向に連設し、所望の区画レイアウトに合わせて空間を仕切るようになっている。尚、本実施例では、末端部を有する間仕切パネル装置１と、該間仕切パネル装置１と直角に連設される間仕切パネル装置１’と、から成る前記区画レイアウトのＬ字型連結構造であり、抗がん剤等を用いて癌を治療する化学療法用等のブースとして使用されるものを例に挙げて説明する。さらに尚、間仕切パネル装置１，１’の構成は、ほぼ同一であることから、図１の画面左側の間仕切パネル装置１（左側の支柱２が末端部となった間仕切パネル装置１）を例に取り説明し、間仕切パネル装置１’の説明を省略する。
【００１７】
図２に示されるように、間仕切パネル装置１は、左右に立設される支柱２，２と、該支柱２，２間に架設される上部連結部材３，中部連結部材４，下部連結部材５と、各連結部材３，４，５の前後にそれぞれ取り付けられる複数のパネル材６，６，…と、から主に構成されている。この上部連結部材３には、合成樹脂素材から成る半透明板１３が立設されており、間仕切パネル装置１により構成された区画内への外部からの視線を遮ることができる（図１参照）。
【００１８】
間仕切パネル装置１’と隣接する側の支柱２には、上下の所定箇所に導通口２ａが設けられており、この導通口２ａを通して間仕切パネル装置１’の内部から間仕切パネル装置１の内部に医療ガス用の配管９，９，…及び電力供給用の配線１０が導通できるようになっている。また、パネル材６の外面には、アウトレット１１や電源コンセント口１２が適宜設けられており、対向するパネル材６，６の間（間仕切パネル装置１の内部）に導通した配管９，９，…及び配線１０をアウトレット１１や電源コンセント口１２にそれぞれ接続できるようになっている。このように、配管９，９，…及び配線１０等を間仕切パネル装置１の内部に収めることができるため、配管９，９，…及び配線１０等が外部に露見せず美観を向上させることができる。また、パネル材６は、アルミなどの薄板の側縁を折り曲げて形成され、その内側に防音・断熱ボードが固定されている。
【００１９】
図２及び図３に示されるように、中部連結部材４は、前後方向（幅方向）に所定間隔を空けて配設される一対の前部連結杆４１及び後部連結杆４２と、前部連結杆４１及び後部連結杆４２間の所定間隔を保持する保持部材２０と、を備えている。
【００２０】
前部連結杆４１及び後部連結杆４２は、アルミなどの金属を押出形成により左右方向に延びるように形成されている。この前部連結杆４１及び後部連結杆４２の各両端には、それぞれ雌ネジ部１８，１８が設けられており（図３参照）、この雌ネジ部１８，１８に図示しないボルト等を螺挿することにより、前部連結杆４１及び後部連結杆４２が支柱２，２に連結されている。尚、前部連結杆４１及び後部連結杆４２は、略同一形成であるため、前部連結杆４１のみ説明し、後部連結杆４２の説明を省略する。
【００２１】
前部連結杆４１は、前面側からアクセス可能となっているレール部４３（レール部材）を有しており、レール部４３には、図示しないブラケットを介して棚板７やモニター装置８（機能部材）等が取付けられるようになっている（図１参照）。尚、レール部４３には、棚板７やモニター装置８以外にも卓上照明やその他備え付けの医療器具等の備品を取付けることができるようになっている。
【００２２】
詳しくは、特に図３に示されるように、レール部４３は、上下のパネル材６，６間に上下方向に延びる垂直板部４３ａと、垂直板部４３ａの上下端部から前面側に延びる水平板部４３ｂ，４３ｂと、上下の水平板部４３ｂ，４３ｂの前端部から互いに近接するように突出する突板部４３ｃ，４３ｃと、を備えており、突板部４３ｃ，４３ｃ間を開口部として内部に左右方向に連続して延びる取付溝４４（溝部）が形成されている。この取付溝４４に前記した図示しないブラケットがスライド可能に取り付けられるようになっている。
【００２３】
また、レール部４３における上側の水平板部４３ｂには、上側のパネル材６が載置されるようになっており、下側の水平板部４３ｂ（対向部）には、下側のパネル材６の上端板部６ａが当接されている。また、水平板部４３ｂの下面には、長手方向に沿って所定間隔離間して板バネ状のバンド部材２５，２５，…が複数固着されており（図３では１つのみ図示）、後述のように、水平板部４３ｂとバンド部材２５，２５，…とによって下側のパネル材６の上端板部６ａを挟み込むようになっている。
【００２４】
図２及び図３に示されるように、保持部材２０は、前部連結杆４１及び後部連結杆４２よりも左右方向に短寸となっており、前部連結杆４１及び後部連結杆４２の長手方向（左右方向）に沿って本実施例では２箇所に設けられている。すなわち、図２に示されるように、前部連結杆４１と後部連結杆４２との間には、上下方向に連通する部分が形成されるため、その連通部分に間仕切パネル装置１の内部に導入された配線１０を挿通させることが可能になっている。尚、この前部連結杆４１と後部連結杆４２との間の連通部分には配管９，９，…も同様に挿通させることができる。さらに尚、この保持部材２０，２０は、前部連結杆４１及び後部連結杆４２の長手方向に沿って２箇所に設けられていたが、１箇所または３箇所以上設けられていてもよい。
【００２５】
また、図２及び図３に示されるように、保持部材２０は、断面視上向きコ字状のコ字状部材２１と、前部連結杆４１及び後部連結杆４２の近接を防止する近接規制手段２２と、コ字状部材２１及び近接規制手段２２を連結する連結手段としてのボルト・ナット２３と、を備えている。
【００２６】
図３に示されるように、コ字状部材２１は、前後に延びる水平片２１ａと、水平片２１ａの前後両端から上方に延びる上向片２１ｂ，２１ｂと、を備えており、水平片２１ａが前部連結杆４１と後部連結杆４２とに渡ってその上面に載置されている。この上向片２１ｂ，２１ｂには、上側のパネル材６の下端部に設けられた下向き鉤状の係止片２６が係止されるようになっている。
【００２７】
近接規制手段２２は、前後に延びる水平片２２ａと、水平片２２ａの前後両端から下方に延びる下向片２２ｂ，２２ｂと、を備えた断面視下向きコ字状を成している。この近接規制手段２２は、その下向片２２ｂ，２２ｂが、前部連結杆４１と後部連結杆４２と対向面にそれぞれ設けられた断面視横向きコ字形状の対向溝部４１ａ，４２ａ内に配設されている。下向片２２ｂ，２２ｂが対向溝部４１ａ，４２ａ内の対向面４１ｂ及び対向面４２ｂに当接することにより、前部連結杆４１及び後部連結杆４２の近接が防止され、前部連結杆４１及び後部連結杆４２の所定間隔が保持されるようになっている。
【００２８】
これらコ字状部材２１及び近接規制手段２２はボルト・ナット２３により上下方向に緊締されている。これによれば、前部連結杆４１及び後部連結杆４２の一部を上下から挟み込み、前部連結杆４１と後部連結杆４２とを強固に連結することができるようになっている。またこれらコ字状部材２１及び近接規制手段２２は、金属製の板材を折り曲げて形成されているため、保持部材２０の製造コストが抑えられている。
【００２９】
尚、図示しないが、上部連結部材３には、上側のパネル材６の上端板部６ａを挟むバンド部材２５が設けられており、下部連結部材５は、下側のパネル材６の下端部に設けられた下向き鉤状の係止片２６が係止可能な上向片が設けられている。さらに尚、本実施例における上部連結部材３及び下部連結部材５は、支柱２，２間を繋ぐ梁材であるが、中部連結部材４と同様に一対の前部連結杆及び後部連結杆により構成されてもよい。
【００３０】
前述のように、パネル材６，６，…は、その係止片２６をコ字状部材２１の上向片２１ｂに係止させ、且つパネル材６の上端板部６ａをバンド部材２５によって挟み込むことにより、中部連結部材４の上下に着脱可能となっている。このようにパネル材６は、上向片２１ｂやバンド部材２５に係止させるのみで着脱し易くしているものであり、施工性が高くなっている一方、振動等により外れやすくなっているため、間仕切パネル装置１は、図４に示すパネル規制部１４により各連結部材３，４，５に対する相対移動を規制している。尚、パネル材６は、パネル材６の下端を中心として上端板部６ａが前後に倒れやすくなっているとともに、左右方向にスライドしやすくなっているため、パネル規制部１４は、上端板部６ａの前後移動と、上端板部６ａの左右方向へのスライド移動を規制している。
【００３１】
次に、パネル規制部１４について説明する。尚、下側のパネル材６のパネル規制部１４の構成についてのみ説明し、上側のパネル材６のパネル規制部１４の構成については、その説明を省略する。
【００３２】
図４に示されるように、パネル規制部１４は、レール部４３における下側の水平板部４３ｂに設けられる上下に貫通する貫通孔４３ｄと、パネル材６の上端板部６ａに設けられる貫通孔６ｂと、これら貫通孔４３ｄ及び貫通孔６ｂに挿入される規制部材１５と、から主に構成される。貫通孔４３ｄ及び貫通孔６ｂは、左右方向に長い略同一形状の長孔であり、水平板部４３ｂ及び上端板部６ａのそれぞれ対応する位置に設けられパネル材６を取付け時に連通するようになっているとともに、取付溝４４内にも連通している。尚、本実施例におけるパネル規制部１４は、前部連結杆４１の左右両端近傍（支柱２，２近傍）に設けられている。
【００３３】
規制部材１５は、例えば、プレート状の金属等を型抜き加工することにより形成されている。また、規制部材１５は、貫通孔６ｂ及び貫通孔４３ｄの左右寸法Ｌ３（内寸）よりも小さい左右寸法Ｌ２を有する挿入部１５ａ（Ｌ２＜Ｌ３）と、貫通孔６ｂ及び貫通孔４３ｄの左右寸法Ｌ３よりも大きい左右寸法Ｌ１を有する頭部１５ｂ（Ｌ２＜Ｌ１）と、頭部１５ｂに設けられた孔部１５ｃと、を備えている。また、頭部１５ｂの左右寸法Ｌ１は、規制部材１５の上下寸法Ｌ４よりも短くなっている（Ｌ１＜Ｌ４）。
【００３４】
さらに、図６に示されるように、頭部１５ｂの左右寸法Ｌ１は、レール部４３の突板部４３ｃ，４３ｃ間の離間寸法Ｌ５よりも僅かに長くなっている（Ｌ５＜Ｌ１）。また、規制部材１５の上下寸法Ｌ４は、レール部４３における上下の水平板部４３ｂ，４３ｂの離間寸法Ｌ６（溝部の上下寸法）よりも小さくなっている（Ｌ６＜Ｌ４）。また、挿入部１５ａの上下寸法Ｌ７は、貫通孔６ｂ及び貫通孔４３ｄの合計の上下寸法Ｌ８よりも長くなっている（Ｌ８＜Ｌ７）。
【００３５】
この規制部材１５は、レール部４３の突板部４３ｃ，４３ｃ間の開口から取付溝４４内に配置され、挿入部１５ａが上方から貫通孔４３ｄ及び貫通孔６ｂ内に挿入されるようになっている。図３に示されるように、挿入部１５ａが貫通孔４３ｄ及び貫通孔６ｂに挿入された際には、上端板部６ａの前後移動と、パネル材６の左右方向へのスライド移動とが規制されるようになっている。
【００３６】
次に、下側のパネル材６の取付け手順について図５〜図８を用いて説明する。尚、図５においては、説明の便宜上、図３の反対側から見た側断面図（画面右側を前方側）として説明する。
【００３７】
図５（ａ）に示されるように、先ず、パネル材６の係止片２６をコ字状部材２１の上向片２１ｂに係止させるとともに、パネル材６の上端板部６ａをバンド部材２５と下側の水平板部４３ｂとの間に挟み込ませる。
【００３８】
次いで、図５（ｂ）に示されるように、規制部材１５を鎖線で示すように、斜めに傾けた状態でレール部４３の突板部４３ｃ，４３ｃ間の開口から取付溝４４内に配置するとともに、その挿入部１５ａを上下に連通した貫通孔４３ｄ及び貫通孔６ｂ内に上方から差し込み、ネジ１６により頭部１５ｂをレール部４３の垂直板部４３ａに固定する（実線）。
【００３９】
詳しくは、図６（ａ）に示されるように、規制部材１５が上下方向を向いた状態（挿入部１５ａと頭部１５ｂとが上下に配置された状態）から略９０度回転させ、規制部材１５が左右方向を向いた状態（挿入部１５ａと頭部１５ｂとが左右に配置された状態）とする。さらに、頭部１５ｂの左右寸法Ｌ１は、レール部４３の突板部４３ｃ，４３ｃ間の離間寸法Ｌ５よりも大きくなっているため、規制部材１５をレール部４３方向に傾斜させ、規制部材１５の片側ずつレール部４３の突板部４３ｃ，４３ｃ間の開口から取付溝４４内に挿入配置する。
【００４０】
前述のように、頭部１５ｂの左右寸法Ｌ１（規制部材１５における挿入方向と直交する方向の寸法）が、規制部材１５の上下寸法Ｌ４（挿入方向の寸法）よりも短くなっているため、規制部材１５が左右方向を向いた状態とすることにより、規制部材１５の短尺側を用いて突板部４３ｃ，４３ｃ間の開口から取付溝４４内に挿入配置しやすくなっている。
【００４１】
次いで、規制部材１５は、取付溝４４内において上下方向を向いた状態に戻される。このときには、前述のように、規制部材１５の上下寸法Ｌ４は、レール部４３における上下の水平板部４３ｂ，４３ｂの離間寸法Ｌ６よりも小さくなっているため、上下の水平板部４３ｂ，４３ｂに引っ掛かることなく回転させることができるようになっており、取付溝４４内において挿入部１５ａを貫通孔４３ｄ及び貫通孔６ｂ内に差し込可能な状態に調整しやすい。
【００４２】
そして、図３、図５（ｂ）、及び図６（ｂ）に示されるように、挿入部１５ａを貫通孔４３ｄ及び貫通孔６ｂ内に上方から差し込む。このように、挿入部１５ａが貫通孔４３ｄ及び貫通孔６ｂに挿入された状態にあっては、前述のように、上端板部６ａの前後移動と、パネル材６の左右方向へのスライド移動とが規制されることに加え、パネル材６とレール部４３とが規制部材１５を介して連結されるようになるため、レール部４３がパネル材６の補強部材として機能するようになる。すなわち、パネル材６とレール部４３とが規制部材１５を介して連結されることにより、パネル材６に特段の補強を施すことなく、レール部４３の剛性を利用してパネル材６の厚み方向にかかる外力に対する強度を高めることができるようになっている。
【００４３】
さらに、水平板部４３ｂと上端板部６ａとにそれぞれ貫通孔４３ｄ及び貫通孔６ｂを設け、且つ別体の規制部材１５を用いて、レール部４３とパネル材６とを連結する構成であるため、レール部４３やパネル材６に特殊な加工を施す必要がなく、パネル規制部１４を簡素に構成することができる。
【００４４】
また、貫通孔４３ｄ及び貫通孔６ｂは、取付溝４４に連通しており、取付溝４４を利用して貫通孔４３ｄ及び貫通孔６ｂに前面側からアクセスできるため、規制部材１５を用いたレール部４３とパネル材６との連結作業を簡便に行うことができる。
【００４５】
また、前述のように、挿入部１５ａの左右寸法Ｌ２が貫通孔６ｂ及び貫通孔４３ｄの左右寸法Ｌ３よりも小さくなっているため、貫通孔６ｂ及び貫通孔４３ｄ内に挿入部１５ａを入れやすくなっている。さらに、頭部１５ｂの左右寸法Ｌ１が貫通孔６ｂ及び貫通孔４３ｄの左右寸法Ｌ３よりも大きくなっているため、挿入部１５ａを上方から貫通孔４３ｄ及び貫通孔６ｂ内に差し込んだ際に、頭部１５ｂが貫通孔４３ｄの周辺に係止されるようになるため、貫通孔６ｂ及び貫通孔４３ｄから規制部材１５が外れることがなく、後述する規制部材１５のネジ止め作業が簡便となる。
【００４６】
また、挿入部１５ａが貫通孔４３ｄ及び貫通孔６ｂに挿入された状態にあっては、挿入部１５ａの上下寸法Ｌ７は、貫通孔６ｂ及び貫通孔４３ｄの合計の上下寸法Ｌ８よりも長くなっているため、挿入部１５ａの自由端が貫通孔６ｂよりも下方側に突出するようになる。これによれば、振動などによりパネル材６の上端板部６ａと、レール部４３の下側の水平板部４３ｂと、が前後方向または左右方向に相対移動したとしても、挿入部１５ａにおける貫通孔６ｂよりも下方側に突出した余剰部分により、貫通孔６ｂから挿入部１５ａが抜けにくくなっているため、挿入部１５ａが貫通孔４３ｄ及び貫通孔６ｂに挿入された状態を保つことができる。
【００４７】
続いて、挿入部１５ａを貫通孔４３ｄ及び貫通孔６ｂに挿入した後、垂直板部４３ａに設けられたネジ孔４３ｅに挿入部１５ａの孔部１５ｃを位置合わせし、ネジ１６を前面側から螺挿する。これにより、振動などにより規制部材１５に下方から上方に向けて持ち上げるような外力が働いても、挿入部１５ａが貫通孔４３ｄ及び貫通孔６ｂから離脱することが防止され、挿入部１５ａが貫通孔４３ｄ及び貫通孔６ｂに挿入された状態を保つことができる。
【００４８】
また、前述のように、レール部４３における水平板部４３ｂ，４３ｂの前端部には、互いに近接するように突出する突板部４３ｃ，４３ｃが設けられているため、突板部４３ｃ，４３ｃが規制部材１５の目隠しとして機能し、規制部材１５が外側から露見し難くなり、美観が向上する。
【００４９】
さらに、規制部材１５は、薄いプレート状の金属等から構成されるとともに、貫通孔４３ｄは、取付溝４４内における垂直板部４３ａ（図５（ｃ）参照）側に寄せて設けられており、規制部材１５は、その後面１５ｄが垂直板部４３ａの前面４３ｆに当接した状態でネジ１６により垂直板部４３ａに固定されるようになっている（図３参照）。このように、規制部材１５の後面１５ｄと垂直板部４３ａの前面４３ｆとが上下方向に当接するので、レール部４３に対する規制部材１５の取り付け強度が高くなっており、特にパネル材６の上端板部６ａの前後移動を確実に規制できる。さらに、規制部材１５が取付溝４４内における垂直板部４３ａ側に寄せて配置されるため、取付溝４４内における規制部材１５の占有スペースを小さくでき、取付溝４４内における規制部材１５が配置された箇所にも前記ブラケットを介して各種機能部材を取付けることができる。尚、本実施例のネジ１６に代えて、平ネジ等を利用して、取付溝４４内における規制部材１５の占有スペースをさらに小さくしてもよい。
【００５０】
次いで、図５（ｃ）に戻って、レール部４３における規制部材１５が配置された箇所に規制部材１５を覆うカバー部材１７を取付ける。図７に示されるように、カバー部材１７は、合成樹脂から成り、規制部材１５を覆う被覆部１７ａと、被覆部１７ａの上下端縁から水平に延びる水平片部１７ｂ，１７ｂと、被覆部１７ａの左右端縁から水平片部１７ｂ，１７ｂと同一方向に延びる垂直片部１７ｃ，１７ｃ（突片）と、を備えている。
【００５１】
水平片部１７ｂ，１７ｂは、垂直片部１７ｃ，１７ｃに比べ、延設方向に短くなっているとともに、水平片部１７ｂ，１７ｂの先端部は、外側に張り出した爪部１７ｄ，１７ｄをそれぞれ備えている。また、爪部１７ｄ，１７ｄは、水平片部１７ｂ，１７ｂの先端に向けて先細りするテーパ面１７ｅ，１７ｅを備えている。また、垂直片部１７ｃ，１７ｃは、レール部４３における水平板部４３ｂ，４３ｂと略同一の長さを有し、図５（ｃ）に示されるように、レール部４３にカバー部材１７を取付けた際に、レール部４３の垂直板部４３ａの前面４３ｆに当接するようになっている。
【００５２】
図５（ｃ）に示されるように、カバー部材１７をレール部４３に向けて移動させると、テーパ面１７ｅ，１７ｅが突板部４３ｃ，４３ｃの先端を摺動し、水平片部１７ｂ，１７ｂが互いに近接するように弾性変形しながら取付溝４４内に挿入される。テーパ面１７ｅ，１７ｅが突板部４３ｃ，４３ｃを越えると、水平片部１７ｂ，１７ｂが弾性復元して、爪部１７ｄ，１７ｄが突板部４３ｃ，４３ｃの後面に係止されるとともに、垂直片部１７ｃ，１７ｃがレール部４３の垂直板部４３ａの前面４３ｆに当接する。
【００５３】
図８に示されるように、レール部４３にカバー部材１７を取付けた際には、規制部材１５の頭部１５ｂの両側近傍に配置される。そのため、例えば、ネジ１６を中心にして規制部材１５が回転しようとしても、頭部１５ｂが当接して規制部材１５の回転が規制され、挿入部１５ａが貫通孔４３ｄ及び貫通孔６ｂに挿入された状態を保つことができる。
【００５４】
さらに、カバー部材１７により規制部材１５が外部に露見しない。詳しくは、被覆部１７ａにより正面側から規制部材１５が露見しないようになっており、左右方向からは、垂直片部１７ｃ，１７ｃにより規制部材１５が露見しないようになっているため、美観が向上する。
【００５５】
尚、本発明の間仕切パネル装置１は、レール部４３の水平板部４３ｂとパネル材６の上端板部６ａとにそれぞれ貫通孔４３ｄ及び貫通孔６ｂを設け、且つ貫通孔４３ｄ及び貫通孔６ｂに規制部材１５を差し込む構造であるため、支柱２，２にパネル材６を固定しなくても、上端板部６ａの前後移動と、パネル材６の左右方向へのスライド移動とを規制できるようになっている。つまり、パネル材６の移動を規制する位置（パネル規制部１４を設ける位置）が支柱２，２の位置に限定されないため、例えば、パネル材の重さや大きさ、重量バランス等により、レール部４３及びパネル材６の長手方向（左右方向）の任意の位置に貫通孔４３ｄ及び貫通孔６ｂをそれぞれ設けることができ、パネル材の上記条件に合わせてパネル規制部１４の位置や数量等を設計できるようになっている。さらに尚、本実施例の間仕切パネル装置１は、レール部４３が左右方向に連続して延びているため、レール部４３の横方向のラインが分断されず、見栄えがよい。
【００５６】
また、本実施例では、支柱２，２の対向面間に収まるようにレール部４３が延びる態様について説明したが、レール部４３を支柱２，２の前面側まで延びるようにして、レール部４３を利用できる範囲を大きくしてもよい。
【００５７】
以上、本発明の実施例を図面により説明してきたが、具体的な構成はこれら実施例に限られるものではなく、本発明の要旨を逸脱しない範囲における変更や追加があっても本発明に含まれる。
【００５８】
例えば、前記実施例では、パネル材６の上端板部６ａとレール部４３の下側の水平板部４３ｂとを規制部材１５により連結する態様について説明したが、これに限られず、パネル材６の下端板部とレール部４３の上側の水平板部４３ｂとにそれぞれ貫通孔を設け、両貫通孔に規制部材１５を挿入して、パネル材６の下端板部とレール部４３の上側の水平板部４３ｂとを連結するようにしてもよい。
【００５９】
また、前記実施例では、パネル材６は、その係止片２６をコ字状部材２１の上向片２１ｂに係止させ、且つパネル材６の上端板部６ａをバンド部材２５によって挟み込むことにより、中部連結部材４の上下に着脱可能となっている態様について説明したが、例えば、支柱２に係止孔を設け、パネル材６に前記係止孔に係止されるフックを設け、支柱２に対してパネル材６を係止させるようにしてもよい。また、本実施例のように、パネル材６とレール部４３とを規制部材１５により連結することに加え、支柱２に対してパネル材６をボルト等で固定して、さらにパネル材６の取付状態の安定性を向上させるようにしてもよい。
【００６０】
また、規制部材１５が、貫通孔４３ｄ及び貫通孔６ｂの左右寸法Ｌ３よりも小さい左右寸法Ｌ２を有する挿入部１５ａと、貫通孔４３ｄ及び貫通孔６ｂの左右寸法Ｌ３よりも大きい左右寸法Ｌ１を有する頭部１５ｂと、から成る態様について説明したが、レール部４３にネジ止めされるものであれば、例えば、貫通孔４３ｄ及び貫通孔６ｂ内に挿入可能な左右幅が上下方向に均一に延びる形状であってもよい。
【００６１】
また、規制部材１５は、必ずしもレール部４３に対してネジ止めされることに限られず、貫通孔４３ｄの周辺に係止される頭部１５ｂを有していれば、規制部材１５が貫通孔４３ｄ及び貫通孔６ｂに挿入されるのみであってもよい。
【００６２】
また、前記実施例では、パネル材６，６，…が前後両面に設けられた間仕切パネル装置１について説明したが、これに限られず、例えば、前後いずれか一方にのみパネル材６，６，…が設けられ、部屋の壁面に所定間隔離間して固定される間仕切パネル装置であってもよい。また、パネル材６は、前後両面に上下２枚ずつ設けられる態様に限られず、所望の数量ずつ設けられてもよく、さらに前後両面でパネル材６が設けられる数量や大きさが異なっていてもよい。
【符号の説明】
【００６３】
１，１’          間仕切パネル装置
２                支柱
４                中部連結部材
６                パネル材
６ａ              上端板部（パネル材の端部）
６ｂ              貫通孔
１４              パネル規制部
１５              規制部材
１５ａ            挿入部
１５ｂ            頭部
１６              ネジ
１７              カバー部材
１７ｃ，１７ｃ    垂直片部（突片）
２０              保持部材
４１              前部連結杆
４２              後部連結杆
４３              レール部（レール部材）
４３ｄ            貫通孔
４３ｂ            水平板部（対向部）
４４              取付溝（溝部）
Ｌ１              頭部の左右寸法
Ｌ２              挿入部の左右寸法
Ｌ３              貫通孔の左右寸法
Ｌ４              規制部材の上下寸法
Ｌ５              突板部の離間寸法
Ｌ６              水平板部の離間寸法（溝部の上下寸法）
Ｌ７              挿入部の上下寸法
Ｌ８              貫通孔の合計の上下寸法
【図１】
0006577840.tif 000002
【図２】
0006577840.tif 000003
【図３】
0006577840.tif 000004
【図４】
0006577840.tif 000005
【図５】
0006577840.tif 000006
【図６】
0006577840.tif 000007
【図７】
0006577840.tif 000008
【図８】
0006577840.tif 000009